(57)【要約】【課題】レスポンスの良い通信を可能にする。【解決手段】信号線Ｌを介して複数台の送信機器１０と複数台の受信機器２０とを相互接続して通信システムを構成した。そして、通信部１０２から、記憶部１０１に記憶している送信先アドレスを含む送信信号の送信を行う場合、通信部１０１を通じて信号線Ｌ上の信号の監視を行いながら、信号線Ｌ上に信号が無ければ送信信号の送信を行う一方、信号線Ｌ上に信号が有れば、その信号が無くなってから一定の休止時間が経過し、複数台の送信機器１０の中での送信順序の優先順位を決める優先順位時間が経過した後に、送信信号の送信を行い、送信信号とこの送信中に監視により信号線Ｌから得られる信号とが一致しなければ、送信信号の送信を再度行う制御部１００を送信機器１０に設けた。【選択図】　図１
2004112062.tif 000002
【特許請求の範囲】
【請求項１】
信号線を介して複数台の送信機器と複数台の受信機器とを相互接続して構成される通信システムであって、
前記送信機器は、前記受信機器に割り当てられた送信先アドレスを記憶する記憶手段と、前記信号線に接続される信号送受信用の通信手段と、この通信手段から、前記記憶手段に記憶している送信先アドレスを含む送信信号の送信を行う場合には、前記通信手段を通じて前記信号線上の信号の監視を行いながら、前記信号線上に信号が無ければ前記送信信号の送信を行う一方、前記信号線上に信号が有れば、その信号が無くなってから一定の休止時間が経過し、さらに前記複数台の送信機器の中での送信順序の優先順位を決める優先順位時間が経過した後に、前記送信信号の送信を行い、前記送信信号とこの送信中に前記監視により前記信号線から得られる信号とが一致しなければ、前記送信信号の送信を再度行う制御手段とを備え、
前記受信機器は、自己に割り当てられた自局アドレスを記憶する記憶手段と、前記信号線に接続される信号受信用の通信手段と、この通信手段により前記送信信号を受信したとき、その送信信号に含まれる送信先アドレスと自己の記憶手段に記憶している自局アドレスとが一致すれば、前記送信信号の受信完了の返信を行うことなく、前記送信信号に従って負荷制御を実行する制御手段とを備える
ことを特徴とする通信システム。
【請求項２】
前記優先順位時間は、所定時間範囲内からランダムに選択された時間を含むことを特徴とする請求項１記載の通信システム。
【請求項３】
前記優先順位時間は、前記送信機器の種類または前記送信機器の送信信号の内容に応じて与えられる定数で決まる時間を含むことを特徴とする請求項１記載の通信システム。
【請求項４】
前記優先順位時間は、前記送信機器の種類に応じて与えられる定数で決まる時間と、所定時間範囲内からランダムに選択された時間とを含むことを特徴とする請求項１記載の通信システム。
【請求項５】
前記複数台の送信機器として、複数種類の送信機器を各種類毎に複数台備え、前記送信機器の種類に応じて与えられる定数は、当該定数を使用する送信機器よりも１つ優先順位の高い送信機器が存在する場合には、当該定数で決まる時間が、前記１つ優先順位の高い送信機器で使用される定数で決まる時間および所定時間の合計時間よりも長くなるように、設定されることを特徴とする請求項４記載の通信システム。
【請求項６】
前記所定時間は、前記複数台の送信機器の種類別台数に応じて設定されることを特徴とする請求項２、４または５記載の通信システム。
【請求項７】
前記定数は、前記複数台の送信機器の種類数に応じて設定されることを特徴とする請求項３、４または５記載の通信システム。
【請求項８】
前記所定時間は、前記複数台の送信機器の種類別台数に応じて設定されるとともに、前記定数は、前記複数台の送信機器の種類数に応じて設定されることを特徴とする請求項４または５記載の通信システム。
【発明の詳細な説明】
【０００１】
【発明の属する技術分野】
本発明は、信号線を介して複数台の送信機器と複数台の受信機器とを相互接続して構成される通信システムに関するものである。
【０００２】
【従来の技術】
従来、信号線と複数の機器ないし装置からなる通信システムが各種提案されている。例えば、特開平５−３４４１７３号公報（特許文献１）には、専有通信を行う場合、専有通信送信側通信制御装置が専有要求通信フレームを送信しこれを受信側通信制御装置が受信し、肯定応答返送後、伝送路上の状況、通信量等で以降の専有通信が正常に行われるか、事前に確認するための確認コードを一方が送信し、これを受信した通信制御装置側がこれと同一コードを返送し、返送された確認コードを送信側通信制御装置が照合するか、或いは一方が送信した確認コードを受信側通信制御装置が予め自己の確認コード記憶部に記憶しておいた確認コードと照合することにより専有通信の可否を判定する通信制御方式が記載されている。
【０００３】
また、特開平９−６４８９８号公報（特許文献２）には、通常局の１局が送信開始通知フレームをバスに送出して受信局を指定するとともに自分自身は送信局となり、残りの通常局はフレームの送出が禁止されてモニタ局となり、送信局と受信局とのみがバスを占有してフレームの送受信を行い、送信局が送信終了通知フレームをバスに送出すると、全ての局がフレームの送信可能な通常局に戻るバス型伝送方式におけるバス制御方法が開示されている。
【０００４】
これらの通信制御では、送信キューを持った機器（通信制御装置、局）が、所望の通信相手の機器に割り当てられたＩＤを含むバス占有要求信号を送信することにより、その機器とバスを占有してデータ通信を行う。そして、バスを占有している機器以外は、送信機器からバス占有解除信号が送信され、その受信が完了するまで、モニタ局として動作する。
【０００５】
【特許文献１】
特開平５−３４４１７３号公報
【特許文献２】
特開平９−６４８９８号公報
【０００６】
【発明が解決しようとする課題】
一般に、複数の機器がそれぞれのタイミングで非同期に信号を送信する通信システムにおいて、少なくとも２つの機器が同時に信号を送信したとすると、信号の衝突が発生し、それぞれの信号波形が壊されるので、正常に通信を行うことができないことになる。
【０００７】
このため、上記特開平５−３４４１７３号公報および特開平９−６４８９８号公報などに記載された技術では、本来の送信目的のデータを含む信号の送信に先立って、バスを占有するための信号を送信するのである。
【０００８】
しかしながら、このようにバスを占有するための信号を予め送信する通信方式の場合、本来の送信目的のデータを含む信号に加えて、バスを占有するための信号が必要となるため、本来の送信目的のデータ量が少ない場合、通信効率が悪くなり、レスポンスの良い通信は望めない。
【０００９】
本発明は、上記事情に鑑みてなされたものであり、レスポンスの良い通信が可能となる通信システムを提供することを目的とする。
【００１０】
【課題を解決するための手段】
上記課題を解決するための請求項１記載の発明は、信号線を介して複数台の送信機器と複数台の受信機器とを相互接続して構成される通信システムであって、前記送信機器は、前記受信機器に割り当てられた送信先アドレスを記憶する記憶手段と、前記信号線に接続される信号送受信用の通信手段と、この通信手段から、前記記憶手段に記憶している送信先アドレスを含む送信信号の送信を行う場合には、前記通信手段を通じて前記信号線上の信号の監視を行いながら、前記信号線上に信号が無ければ前記送信信号の送信を行う一方、前記信号線上に信号が有れば、その信号が無くなってから一定の休止時間が経過し、さらに前記複数台の送信機器の中での送信順序の優先順位を決める優先順位時間が経過した後に、前記送信信号の送信を行い、前記送信信号とこの送信中に前記監視により前記信号線から得られる信号とが一致しなければ、前記送信信号の送信を再度行う制御手段とを備え、前記受信機器は、自己に割り当てられた自局アドレスを記憶する記憶手段と、前記信号線に接続される信号受信用の通信手段と、この通信手段により前記送信信号を受信したとき、その送信信号に含まれる送信先アドレスと自己の記憶手段に記憶している自局アドレスとが一致すれば、前記送信信号の受信完了の返信を行うことなく、前記送信信号に従って負荷制御を実行する制御手段とを備えることを特徴とする。
【００１１】
請求項２記載の発明は、請求項１記載の通信システムにおいて、前記優先順位時間は、所定時間範囲内からランダムに選択された時間を含むことを特徴とする。
【００１２】
請求項３記載の発明は、請求項１記載の通信システムにおいて、前記優先順位時間は、前記送信機器の種類または前記送信機器の送信信号の内容に応じて与えられる定数で決まる時間を含むことを特徴とする。
【００１３】
請求項４記載の発明は、請求項１記載の通信システムにおいて、前記優先順位時間は、前記送信機器の種類に応じて与えられる定数で決まる時間と、所定時間範囲内からランダムに選択された時間とを含むことを特徴とする。
【００１４】
請求項５記載の発明は、請求項４記載の通信システムにおいて、前記複数台の送信機器として、複数種類の送信機器を各種類毎に複数台備え、前記送信機器の種類に応じて与えられる定数は、当該定数を使用する送信機器よりも１つ優先順位の高い送信機器が存在する場合には、当該定数で決まる時間が、前記１つ優先順位の高い送信機器で使用される定数で決まる時間および所定時間の合計時間よりも長くなるように、設定されることを特徴とする。
【００１５】
請求項６記載の発明は、請求項２、４または５記載の通信システムにおいて、前記所定時間は、前記複数台の送信機器の種類別台数に応じて設定されることを特徴とする。
【００１６】
請求項７記載の発明は、請求項３、４または５記載の通信システムにおいて、前記定数は、前記複数台の送信機器の種類数に応じて設定されることを特徴とする。
【００１７】
請求項８記載の発明は、請求項４または５記載の通信システムにおいて、前記所定時間は、前記複数台の送信機器の種類別台数に応じて設定されるとともに、前記定数は、前記複数台の送信機器の種類数に応じて設定されることを特徴とする。
【００１８】
【発明の実施の形態】
（第１実施形態）
図１は本発明に係る第１実施形態の通信システムにおける送信機器および受信機器の構成図、図２は同通信システムの構成図、図３は同通信システムで使用されるパケット構成図、図４は同通信システムの動作フロー図である。
【００１９】
第１実施形態の通信システムは、図２に示すように、信号線Ｌ（同図では２線の信号線）を介して、複数台の送信機器１０と複数台の受信機器（負荷機器）２０とをバス配線形式で相互接続することにより構成される。
【００２０】
送信機器１０および受信機器２０は、大略、図１（ａ）に示すように、通信に必要な情報などを記憶する記憶部１と、通信媒体に適した通信部２と、外部との入／出力インターフェースとなる入／出力部３と、これらの各部と接続される制御部０とにより構成され、より具体的には図１（ｂ）に示すように構成される。
【００２１】
すなわち、送信機器１０は、自己に割り当てられた送信元アドレス、受信機器２０に割り当てられた送信先アドレスおよび各種コマンドなどを記憶する記憶部１０１と、信号線Ｌに接続される信号送受信用の通信部１０２と、入力情報を取得する入力部１０３とを備えているとともに、制御部１００を備えている。
【００２２】
この制御部１００は、送信機器１０全般の制御などの処理を実行するものであり、例えば、通信部１０２から、記憶部１０１に記憶している送信先アドレスおよび制御コマンドなどを含む送信信号の送信を行う。
【００２３】
この場合、通信部１０２を通じて信号線Ｌ上の信号の監視を行いながら、信号線Ｌ上に信号が無ければ、直ぐさま送信信号の送信を行う一方、信号線Ｌ上に信号が有れば、その信号が無くなってから一定の休止時間が経過し、さらに複数台の送信機器１０の中での送信順序の優先順位を決める優先順位時間が経過した後に、送信信号の送信を行い、送信信号とこの送信中に上記監視により信号線Ｌから得られる信号とが一致しなければ、少なくとも１回、同じ送信信号の送信を再度行う処理が実行される。
【００２４】
ここで、制御部１００は、返信を要求しない送信信号の送信時には、図３に示すパケットの「宛先アドレス」のフィールドに送信先アドレスを格納し、「制御コマンドＯＲデータ」のフィールドに、例えば入力部１０３で取得された入力情報に対応する制御コマンドを格納することにより、送信信号を生成し、この送信信号の送信を行う。
【００２５】
一方、制御部１００は、返信を要求する送信信号の送信時には、「宛先アドレス」のフィールドに送信先アドレスを格納し、「制御コマンドＯＲデータ」のフィールドに、返信要求コマンドを格納することにより、送信信号を生成し、この送信信号の送信を行った後、上記送信先アドレスの受信機器２０からの返信信号の受信状態に移行してその受信を行う。
【００２６】
受信機器２０は、自己に割り当てられた自局アドレスを記憶する記憶部２０１と、信号線Ｌに接続される信号送受信用の通信部２０２と、負荷制御の対象となる負荷と接続される出力部２０３とを備えているとともに、制御部２００を備えている。
【００２７】
この制御部２００は、受信機器２０全般の制御などの処理を実行するものであり、例えば、通信部２０２により送信信号を受信したとき、その送信信号に含まれる送信先アドレスと自己の記憶部２０１に記憶している自局アドレスとが一致すれば、送信信号の受信完了の返信を行うことなく、送信信号に含まれる制御コマンドに従って各種制御を行う。
【００２８】
ここで、制御部２００は、返信を要求しない送信信号の受信時には、送信信号に含まれる制御コマンドに従って負荷制御を行う。
【００２９】
一方、制御部２００は、返信を要求する送信信号の受信時には、送信信号に含まれる返信要求コマンドに合った所定情報を「制御コマンドＯＲデータ」のフィールドに格納することにより、返信信号を生成し、この返信信号の返信を行う。この場合、パケットの終始点を示す符号と「制御コマンドＯＲデータ」で済み、通信時間が短くなる。
【００３０】
次に本通信システムの動作について説明する。送信機器１０において、送信要求が有るか否かを判別し（図４のＳ１）、送信要求が有れば（Ｓ１でＹＥＳ）、ステップＳ２で自局が「受信中」であるか「休止時間中」であるかを確認する処理が制御部１００によって実行される。自局が「受信中」でも「休止時間中」でもないとき（Ｓ２でＮＯ）、信号線Ｌ上に信号が無ければ、直ぐさま送信信号の送信を行う一方、信号線Ｌ上に信号が有れば、優先順位時間を設定し（Ｓ３）、一定の休止時間に続く優先順位時間が経過すれば（Ｓ４でＹＥＳ）、ステップＳ５で送信信号の送信を行う処理が実行される。なお、送信信号とこの送信中に信号線Ｌから得られる信号とが一致しなければ、同じ送信信号の送信が再度行われる。また、返信を要求する送信信号の送信時には、返信信号の受信状態に移行する。
【００３１】
受信機器２０において、通信部２０２により送信信号が受信されると、その送信信号に含まれる送信先アドレスと記憶部２０１に記憶されている自局アドレスとが一致するか否かを判別する処理が制御部２００によって実行される。一致しなければその送信信号を破棄する一方、一致すれば、送信信号の受信完了の返信を行うことなく、送信信号に含まれる制御コマンドの解析を行い、この解析結果に従って各種制御を行う処理が実行される。その各種制御として、返信を要求しない送信信号の受信時には、送信信号に含まれる制御コマンドに従って負荷制御が行われる。通常は、出力部２０３から、外部の負荷を制御するための信号が出力されることになる。一方、返信を要求する送信信号の受信時には、返信要求コマンドに合った所定情報を含む返信信号の返信処理が実行される。なお、その返信信号は、受信状態に移行した送信機器１０によって受信されることになる。
【００３２】
以上の通信システムによれば、送信信号が送信先アドレスおよび制御コマンドを含む短い信号で済むほか、バス占有処理を実行せずに余分な信号（パケット）を送信しないため、レスポンスの良い通信が可能となる。また、送信信号の送信時に、複数台の送信機器１０の中での送信順序の優先順位を決める優先順位時間が使用されるので、信号の衝突が発生し難くなる。
【００３３】
（第２実施形態）
図５は本発明に係る第２実施形態の通信システムの構成図、図６は同通信システムの送信機器の構成図、図７は同通信システムの受信機器の構成図である。
【００３４】
第２実施形態の通信システムは、図５に示すように、信号線Ｌを介して、複数台の同種類の送信機器１１と複数台の受信機器２１とをバス配線形式で相互接続することにより構成される。
【００３５】
送信機器１１は、いわゆる人感センサ機器であり、図６に示すように、自己に割り当てられた送信元アドレス、受信機器２１に割り当てられた送信先アドレスおよび各種コマンドなどを記憶するＲＯＭなどのメモリ１１１と、ＲＳ４８５の送信用のドライバ１１２ａおよび受信用のレシーバ１１２ｂにより構成され信号線Ｌに接続される通信部（トランシーバ）１１２と、検知エリアでの人の居否情報を入力情報として取得する焦電センサまたは超音波センサなどの人検知入力部１１３とを備えているとともに、メモリ１１１、通信部１１２および人検知入力部１１３と接続されるマイコン（マイクロコンピュータ）１１０を備えている。
【００３６】
このマイコン１１０は、送信機器１１全般の制御などの処理を実行するものであり、例えば、送信信号の送信処理を第１実施形態の制御部１００と同様に実行するほか、制御部１００との相違点として、人検知入力部１１３から、人が居る（居ない）ことを示す情報を入力情報として取得したとき、例えば点灯（消灯／調光）要求有りの判断を行う処理を実行する。また、点灯（消灯／調光）要求有りの判断に応じて、「宛先アドレス」のフィールドに送信先アドレスを格納し、「制御コマンドＯＲデータ」のフィールドに、点灯（消灯／調光）用の制御コマンドを格納することにより、送信信号を生成する処理が実行される。さらに、０〜ＴＳの所定時間範囲内からランダムに選択した時間を優先順位時間として設定する処理が実行される。
【００３７】
受信機器２１は、調光照明器具であり、図７に示すように、自己に割り当てられた自局アドレスを記憶するＲＯＭなどのメモリ２１１と、ＲＳ４８５の送信用のドライバ２１２ａおよび受信用のレシーバ２１２ｂにより構成され信号線Ｌに接続される通信部２１２と、負荷としての蛍光灯２１４と、この蛍光灯２１４と接続される電子安定器２１３とを備えているとともに、メモリ２１１、通信部２１２および電子安定器２１３と接続されるマイコン２１０を備えている。
【００３８】
このマイコン２１０は、受信機器２１全般の制御などの処理を実行するものであり、例えば、第１実施形態の制御部２００と同様の通信処理を実行し、送信機器１１からの送信信号に含まれる制御コマンドに従って各種制御を行う。上述の点灯（消灯／調光）用の制御コマンドに従って制御を行うとき、電子安定器２１３に制御信号を出力するが、この制御信号は、ＤＣ電圧レベルまたはＰＷＭにより調光レベルの情報を伝達するように生成される。なお、電子安定器２１３は、ある値をしきい値として蛍光灯２１４を消灯する機能を持つ。
【００３９】
次に上記通信システムの動作について説明する。送信機器１１において、人検知入力部１１３から、人が居ることを示す情報を入力情報として取得したとき、点灯要求有りと判断し、自局が「受信中」であるか「休止時間中」であるかを確認する処理がマイコン１１０によって実行される。自局が「受信中」でも「休止時間中」でもないとき、信号線Ｌ上に信号が無ければ、直ぐさま送信信号の送信を行う一方、信号線Ｌ上に信号が有れば、０〜ＴＳの所定時間範囲内からランダムに選択した時間を優先順位時間として設定し、一定の休止時間に続く優先順位時間が経過すれば、送信信号の送信を行う処理が実行される。なお、送信信号とこの送信中に信号線Ｌから得られる信号とが一致しなければ、同じ送信信号の送信が再度行われる。
【００４０】
この後、受信機器２１において、通信部２１２により送信信号が受信されると、その送信信号に含まれる送信先アドレスとメモリ２１１に記憶されている自局アドレスとが一致するか否かを判別する処理がマイコン２１０によって実行される。一致しなければその送信信号を破棄する一方、一致すれば、送信信号の受信完了の返信を行うことなく、送信信号に含まれる制御コマンドの解析を行い、この解析結果に従って蛍光灯２１４の点灯（点灯維持）制御を行う処理が実行される。
【００４１】
この後、送信機器１１において、人検知入力部１１３から、人が居ないことを示す情報を入力情報として取得したとき、消灯（調光）要求有りと判断し、上記と同様の手順で送信信号の送信を行う処理が実行される。そして、受信機器２１において、その送信信号が受信されると、上記と同様の手順で、送信信号に含まれる制御コマンドの解析結果に従って、蛍光灯２１４の消灯（調光）制御を行う処理が実行される。
【００４２】
以上の通信システムによれば、優先順位時間が、所定時間範囲内からランダムに選択された時間を含むので、例えば同種類の送信機器同士で信号が衝突する確率を低くすることができる。
【００４３】
（第３実施形態）
図８は本発明に係る第３実施形態の通信システムの構成図、図９，図１０は同通信システムの送信機器の構成図である。
【００４４】
第３実施形態の通信システムは、図８に示すように、種類の異なる各１台の送信機器１１Ａ，１２，１３と、第２実施形態と同様の複数台の受信機器２１とを備え、これらの各機器を信号線Ｌを介してバス配線形式で相互接続することにより構成される。
【００４５】
送信機器１１Ａは、第２実施形態の送信機器１１との相違点として、送信機器の種類に応じて与えられる定数（以下「人感センサ用定数」という）をさらにメモリ１１１に記憶し、マイコン１１０が人感センサ用定数で決まる時間を当該送信機器１１Ａの優先順位時間として設定する。
【００４６】
送信機器１２は、スイッチ機器であり、図９に示すように、自己に割り当てられた送信元アドレス、受信機器２１に割り当てられた送信先アドレス、各種コマンド、および送信機器の種類に応じて与えられる定数（以下「スイッチ用定数」という）などを記憶するＲＯＭなどのメモリ１２１と、ＲＳ４８５の送信用のドライバ１２２ａおよび受信用のレシーバ１２２ｂにより構成され信号線Ｌに接続される通信部１２２と、各種処理要求用の複数のボタンを含み、ボタンの押操作によりその処理要求を入力情報として取得するＳＷ入力部１２３とを備えているとともに、メモリ１２１、通信部１２２およびＳＷ入力部１２３と接続されるマイコン１２０を備えている。
【００４７】
このマイコン１２０は、送信機器１２全般の制御などの処理を実行するものであり、例えば、送信信号の送信処理を第２実施形態のマイコン１１０と同様に実行するほか、第２実施形態のマイコン１１０との相違点として、ＳＷ入力部１２３から、ボタンの押操作により処理要求を入力情報として取得したとき、その処理要求有りの判断を行う。また、その処理要求有りの判断に応じて、「宛先アドレス」のフィールドに送信先アドレスを格納し、「制御コマンドＯＲデータ」のフィールドに、上記処理要求に対応する制御コマンドを格納することにより、送信信号を生成する処理が実行される。さらに、スイッチ用定数で決まる時間を当該送信機器１２の優先順位時間として設定する処理が実行される。
【００４８】
送信機器１３は、いわゆる明るさセンサ機器であり、図１０に示すように、自己に割り当てられた送信元アドレス、受信機器２１に割り当てられた送信先アドレス、各種コマンド、および送信機器の種類に応じて与えられる定数（以下「明るさセンサ用定数」という）などを記憶するＲＯＭなどのメモリ１３１と、ＲＳ４８５の送信用のドライバ１３２ａおよび受信用のレシーバ１３２ｂにより構成され信号線Ｌに接続される通信部１３２と、周囲の明るさ情報を入力情報として取得する明るさ入力部１３３とを備えているとともに、メモリ１３１、通信部１３２およびＳＷ入力部１３３と接続されるマイコン１３０を備えている。
【００４９】
このマイコン１３０は、送信機器１３全般の制御などの処理を実行するものであり、例えば、送信信号の送信処理を第２実施形態のマイコン１１０と同様に実行するほか、第２実施形態のマイコン１１０との相違点として、明るさ入力部１３３から、周囲の明るさ情報を入力情報として取得したとき、周囲の明るさ情報に応じて、調光比アップ／ダウンの制御要求有りの判断を行う処理を実行する。また、その制御要求有りの判断に応じて、「宛先アドレス」のフィールドに送信先アドレスを格納し、「制御コマンドＯＲデータ」のフィールドに、上記調光比アップ／ダウンの制御要求に対応する制御コマンドを格納することにより、送信信号を生成する処理が実行される。さらに、明るさセンサ用定数で決まる時間を当該送信機器１３の優先順位時間として設定する処理が実行される。
【００５０】
ここで、明るさ入力部１３３は、例えば、フォトダイオードまたはフォトトランジスタなどの受光素子と、この出力電流を電圧に変換するオペアンプなどの変換回路部とにより構成される。そして、その変換回路部の出力電圧値と目標電圧値との大小関係から、調光比アップ／ダウンの制御要求有りの判断が行われる。
【００５１】
また、上記人感センサ用定数、スイッチ用定数および明るさセンサ用定数は、互いに異なる値に設定される。
【００５２】
次に上記通信システムの動作について説明する。先ず、送信機器１１Ａ，１２および受信機器２１間での動作については、点灯、消灯制御の場合、各定数で決まる時間を優先順位時間として設定する以外は、第２実施形態の動作とほぼ同様である。
【００５３】
次に、送信機器１３および受信機器２１間での動作について説明する。送信機器１３において、明るさ入力部１３３から、周囲の明るさ情報を入力情報として取得したとき、周囲の明るさ情報に応じて、調光比アップ／ダウンの制御要求有りの判断をし、自局が「受信中」であるか「休止時間中」であるかを確認する処理がマイコン１３０によって実行される。自局が「受信中」でも「休止時間中」でもないとき、信号線Ｌ上に信号が無ければ、直ぐさま送信信号の送信を行う一方、信号線Ｌ上に信号が有れば、明るさセンサ用定数で決まる時間を当該送信機器１３の優先順位時間として設定し、一定の休止時間に続く優先順位時間が経過すれば、送信信号の送信を行う処理が実行される。なお、送信信号とこの送信中に信号線Ｌから得られる信号とが一致しなければ、同じ送信信号の送信が再度行われる。
【００５４】
この後、受信機器２１において、通信部２１２により送信信号が受信されると、その送信信号に含まれる送信先アドレスとメモリ２１１に記憶されている自局アドレスとが一致するか否かを判別する処理がマイコン２１０によって実行される。一致しなければその送信信号を破棄する一方、一致すれば、送信信号の受信完了の返信を行うことなく、送信信号に含まれる制御コマンドの解析を行い、この解析結果に従って蛍光灯２１４の調光比アップ／ダウン制御を行う処理が実行される。なお、電子安定器２１３は、調光比アップ制御の場合にはランプ出力を上げ、調光比ダウン制御の場合にはランプ出力を下げる。
【００５５】
以上の通信システムによれば、優先順位時間が、送信機器の種類に応じて与えられる定数で決まる時間を含むので、異なる種類の送信機器同士で信号が衝突する確率を低くすることができる。
【００５６】
なお、第３実施形態では、各送信機器が定数を保持する構成になっているが、通信コマンドにより定数が与えられ保持される構成でもよい。
【００５７】
（第４実施形態）
図１１は本発明に係る第４実施形態の通信システムの構成図である。
【００５８】
第４実施形態の通信システムは、図１１に示すように、種類の異なる各複数台の送信機器１１Ｂ，１２Ａ，１３Ａと、第３実施形態と同様の複数台の受信機器２１とを備え、これらの各機器を信号線Ｌを介してバス配線形式で相互接続することにより構成される。
【００５９】
送信機器１１Ｂは、第３実施形態の送信機器１１Ａとの相違点として、マイコン１１０が、人感センサ用定数で決まる時間と、送信機器の種類に応じて与えられる所定時間（以下「人感センサ用選択時間」という）内からランダムに選択した時間とを含む時間を、当該送信機器１１Ｂの優先順位時間として設定する。
【００６０】
送信機器１２Ａは、第３実施形態の送信機器１２との相違点として、マイコン１２０が、スイッチ用定数で決まる時間と、送信機器の種類に応じて与えられる所定時間（以下「スイッチ用選択時間」という）内からランダムに選択した時間とを含む時間を、当該送信機器１２Ａの優先順位時間として設定する。
【００６１】
送信機器１３Ａは、第３実施形態の送信機器１３との相違点として、マイコン１３０が、明るさセンサ用定数で決まる時間と、送信機器の種類に応じて与えられる所定時間（以下「明るさセンサ用選択時間」という）内からランダムに選択した時間とを含む時間を、当該送信機器１３Ａの優先順位時間として設定する。
【００６２】
つまり、第４実施形態では、送信機器１１Ｂの優先順位時間は、人感センサ用定数で決まる時間と、人感センサ用選択時間内からランダムに選択された時間とにより設定される。同様に、送信機器１２Ａの優先順位時間は、スイッチ用定数で決まる時間と、スイッチ用選択時間内からランダムに選択された時間とにより設定され、また送信機器１３Ａの優先順位時間は、明るさセンサ用定数で決まる時間と、明るさセンサ用選択時間内からランダムに選択した時間とにより設定される。なお、通信システムの動作については、第４実施形態と同様である。
【００６３】
以上の通信システムによれば、優先順位時間が、送信機器の種類に応じて与えられる定数で決まる時間と、所定時間範囲内からランダムに選択された時間とを含むので、複数種類の送信機器を各種類毎に複数台含む構成でも、各送信機器同士で信号が衝突する確率を低くすることができる。
【００６４】
なお、第４実施形態では、各送信機器が定数を保持する構成になっているが、通信コマンドにより定数が与えられ保持される構成でもよい。
【００６５】
（第５実施形態）
図１２は本発明に係る第５実施形態の通信システムの送信時の動作説明図である。
【００６６】
第５実施形態の通信システムは、図１２に示すように、各種類の優先順位時間が設定される以外は、第４実施形態の通信システムと同様に構成される。すなわち、各種類の定数は、（明るさセンサ用定数）＞（スイッチ用定数）＞（人感センサ用定数）の関係を満たすとともに、（明るさセンサ用定数で決まる時間）＞（スイッチ用定数で決まる時間＋スイッチ用選択時間），（スイッチ用定数で決まる時間）＞（人感センサ用定数で決まる時間＋人感センサ用選択時間）の関係を満たすように設定される。なお、上記の各種選択時間は、ランダム値範囲の最大時間のことである。
【００６７】
これにより、各種類の優先順位時間のうち、送信機器１１Ｂの優先順位時間が最も短く（優先順位第１位）、送信機器１２Ａの優先順位時間が次に短く（優先順位第２位）、送信機器１３Ａの優先順位時間が最も長く（優先順位第３位）なる。
【００６８】
この場合、各種送信機器が同時に送信処理を開始したとすると、図１２に示すように、先ず「１１Ｂ送信開始可能時間帯」に、各送信機器１１Ｂがランダムに送信信号の送信を行い、各送信機器１１Ｂの送信完了後の「１２Ａ送信開始可能時間帯」に、各送信機器１２Ａがランダムに送信信号の送信を行い、各送信機器１２Ａの送信完了後の「１３Ａ送信開始可能時間帯」に、各送信機器１３Ａがランダムに送信信号の送信を行う。
【００６９】
また、優先順位第２位の送信機器１２Ａの送信中に、優先順位第１位の送信機器１１Ｂが送信処理を開始して送信キューが発生したとすると、送信機器１２Ａの送信完了直後に送信機器１１Ｂの送信が行われる形になる。
【００７０】
以上の通信システムによれば、送信機器の種類に応じて与えられる定数は、当該定数を使用する送信機器よりも１つ優先順位の高い送信機器が存在する場合には、当該定数で決まる時間が、上記１つ優先順位の高い送信機器で使用される定数で決まる時間および所定時間の合計時間よりも長くなるように、設定されるので、複数種類の送信機器を各種類毎に複数台備える構成でも、各送信機器同士で信号が衝突する確率を低くすることができるほか、各種送信機器が同時に送信処理を開始した場合、より高い優先順位の送信機器から送信を開始させ、その送信完了後にそれよりも１つ優先順位の低い送信機器に送信を開始させることができる。
【００７１】
（第６実施形態）
図１３は本発明に係る第６実施形態の通信システムの構成図である。
【００７２】
第６実施形態の通信システムは、図１３に示すように、複数台の同種類の送信機器１１Ｃと、第２実施形態と同様の複数台の受信機器２１とを備え、これらの各機器を信号線Ｌを介してバス配線形式で相互接続することにより構成される。
【００７３】
送信機器１１Ｃは、第２実施形態の送信機器１１との相違点として、複数台の送信機器の種類別台数（第６実施形態では送信機器１１Ｃの台数）に応じて設定される所定時間（人感センサ用選択時間）を使用する。
【００７４】
第６実施形態では、送信機器１１Ｃの各接続台数（１，２，…，ｎ）にそれぞれ対応する所定時間（ＴＳ−１，ＴＳ−２，…，ＴＳ−ｎ）を含むテーブルが送信機器１１Ｃのメモリ１１１に予め記憶されている。これら接続台数および所定時間の関係は、確率で求めることができるが、その他の方法を用いて設定するようにしてもよい。また、通信システムに接続されている送信機器１１Ｃの接続台数は、設定装置などで入力するようにしてもよく、あるいは、電源投入時に各送信機器が自局の種類を含む送信信号の送信を行い、各送信機器が予め規定されている時間内に各送信信号を受信し、各送信信号に含まれる種類を区分してカウントアップすることによって自動的に取得するようにしてもよい。
【００７５】
この通信システムでは、優先順位時間は、通信システムに接続されている送信機器１１Ｃの接続台数に対応する所定時間をメモリ１１１から読み出し、その所定時間範囲内からランダムに時間を選択することにより設定される。
【００７６】
以上の通信システムによれば、所定時間が複数台の送信機器の種類別台数に応じて設定されるので、所定時間を必要以上に長くならないように設定することができ、レスポンスの良い通信が可能となる。
【００７７】
（第７実施形態）
図１４は本発明に係る第７実施形態の通信システムの説明図である。
【００７８】
第７実施形態の通信システムは、種類の異なる各１台の送信機器と、第３実施形態と同様の複数台の受信機器２１とを備え、これらの各機器を信号線Ｌを介してバス配線形式で相互接続することにより構成される。
【００７９】
種類の異なる送信機器には、第３実施形態と同様に、人感センサ機器としての送信機器と、スイッチ機器としての送信機器（図１４では１２Ｂ）と、明るさセンサ機器としての送信機器（１３Ｂ）とがある。これらの各送信機器は、複数台の送信機器の種類数に応じて設定される定数（人感センサ用定数、スイッチ用定数または明るさセンサ用定数）を使用する以外は、第３実施形態と同様に構成される。
【００８０】
第７実施形態でも、人感センサ機器、スイッチ機器、明るさセンサ機器の順に優先順位が低くなるとすると、Ｃ１，Ｃ１＋Ｃ２，Ｃ１＋Ｃ２＋Ｃ３の各値を、それぞれ人感センサ用定数，スイッチ用定数，明るさセンサ用定数として含むテーブルが各送信機器のメモリに予め記憶されている。ここで、通信システムに接続されている送信機器の種類数は、設定装置などで入力するようにしてもよく、あるいは、電源投入時に各送信機器が自局の種類を含む送信信号の送信を行い、各送信機器が予め規定されている時間内に各送信信号を受信し、各送信信号に含まれる種類を抽出することによって自動的に取得するようにしてもよい。
【００８１】
この通信システムでは、例えば、通信システムに人感センサ機器、スイッチ機器および明るさセンサ機器が接続されているとすると、人感センサ機器，スイッチ機器，明るさセンサ機器は、それぞれ自己のメモリからＣ１，Ｃ１＋Ｃ２，Ｃ１＋Ｃ２＋Ｃ３を人感センサ用定数，スイッチ用定数，明るさセンサ用定数として読み出し、人感センサ用定数，スイッチ用定数，明るさセンサ用定数で決まる時間をそれぞれの優先順位時間として設定する。
【００８２】
また、図１４に示すように、通信システムにスイッチ機器（送信機器１２Ｂ）および明るさセンサ機器（送信機器１３Ｂ）が接続されているとすると、スイッチ機器，明るさセンサ機器は、それぞれ自己のメモリからＣ２，Ｃ２＋Ｃ３をスイッチ用定数，明るさセンサ用定数として読み出し、スイッチ用定数，明るさセンサ用定数で決まる時間をそれぞれの優先順位時間として設定する。
【００８３】
以上の通信システムによれば、定数が複数台の送信機器の種類数に応じて設定されるので、定数で決まる時間を必要以上に長くならないように設定することができ、レスポンスの良い通信が可能となる。例えば、複数台の送信機器内に優先順位の高い送信機器が存在しない場合、その分だけ定数で決まる時間を短縮することができる。
【００８４】
（第８実施形態）
図１５は本発明に係る第８実施形態の通信システムの説明図である。
【００８５】
第８実施形態の通信システムは、種類の異なる各複数台の送信機器と、第４実施形態と同様の複数台の受信機器２１とを備え、これらの各機器を信号線Ｌを介してバス配線形式で相互接続することにより構成される。
【００８６】
種類の異なる送信機器には、第４実施形態と同様に、人感センサ機器としての送信機器（図１５では１１Ｄ）と、スイッチ機器としての送信機器（１２Ｃ）と、明るさセンサ機器としての送信機器（１３Ｃ）とがある。これらの各送信機器は、第６実施形態と同様に、複数台の送信機器の種類別台数に応じて設定される所定時間と、第７実施形態と同様に、複数台の送信機器の種類数に応じて設定される定数とを使用する以外は、第４実施形態と同様に構成される。
【００８７】
この通信システムでは、図１５に示すように、人感センサ機器（送信機器１１Ｄ），スイッチ機器（送信機器１２Ｃ），明るさセンサ機器（送信機器１３Ｃ）がそれぞれｎ台，ｍ台，ｌ台接続されているとすれば、それぞれの優先順位時間Ｐ１，Ｐ２，Ｐ３は、
Ｐ１＝Ｃ１＋［０〜ＴＳ−ｎ］
Ｐ２＝Ｃ１＋Ｃ２＋［０〜ＴＳ−ｍ］＋α２
Ｐ３＝Ｃ１＋Ｃ２＋Ｃ３＋［０〜ＴＳ−ｌ］＋α３
となる。
【００８８】
ここで、［０〜ＴＳ−ｎ］，［０〜ＴＳ−ｍ］，［０〜ＴＳ−ｌ］は、複数台の送信機器の種類別台数に応じて設定された所定時間内からランダムに選択された時間を示す。また、Ｃ２＝ＴＳ−ｎ，Ｃ３＝ＴＳ−ｍである。さらに、α２，α３は優先順位を確定させるマージンである。
【００８９】
各送信機器は、それぞれ独立したクロックで動作しており、クロック素子のバラツキ等を考慮すると、上記マージンα２，α３がない場合には、優先順位時間Ｐ１の最大値と優先順位時間Ｐ２の最小値の大小関係が、Ｐ１＜Ｐ２となるべきところが、Ｐ１＞Ｐ２となる可能性がある。
【００９０】
このため、上記マージンα２，α３を設定することにより、優先順位を希望通り確保することができる。なお、台数や種類とは関連がないので、α＝α２＝α３としておいても問題はない。
【００９１】
ところで、通信システムに、スイッチ機器がｍ台、明るさセンサ機器がｌ台接続され、人感センサ機器が接続されていないとすると、スイッチ機器，明るさセンサ機器の優先順位時間Ｐ２，Ｐ３は、
Ｐ２＝Ｃ２＋［０〜ＴＳ−ｍ］
Ｐ３＝Ｃ２＋Ｃ３＋［０〜ＴＳ−ｌ］＋α３
となる。
【００９２】
以上の通信システムによれば、所定時間が複数台の送信機器の種類別台数に応じて設定されるとともに、定数が複数台の送信機器の種類数に応じて設定されるので、所定時間および定数で決まる時間を必要以上に長くならないように設定することができ、レスポンスの良い通信が可能となる。
【００９３】
【発明の効果】
以上のことから明らかなように、請求項１記載の発明は、信号線を介して複数台の送信機器と複数台の受信機器とを相互接続して構成される通信システムであって、前記送信機器は、前記受信機器に割り当てられた送信先アドレスを記憶する記憶手段と、前記信号線に接続される信号送受信用の通信手段と、この通信手段から、前記記憶手段に記憶している送信先アドレスを含む送信信号の送信を行う場合には、前記通信手段を通じて前記信号線上の信号の監視を行いながら、前記信号線上に信号が無ければ前記送信信号の送信を行う一方、前記信号線上に信号が有れば、その信号が無くなってから一定の休止時間が経過し、さらに前記複数台の送信機器の中での送信順序の優先順位を決める優先順位時間が経過した後に、前記送信信号の送信を行い、前記送信信号とこの送信中に前記監視により前記信号線から得られる信号とが一致しなければ、前記送信信号の送信を再度行う制御手段とを備え、前記受信機器は、自己に割り当てられた自局アドレスを記憶する記憶手段と、前記信号線に接続される信号受信用の通信手段と、この通信手段により前記送信信号を受信したとき、その送信信号に含まれる送信先アドレスと自己の記憶手段に記憶している自局アドレスとが一致すれば、前記送信信号の受信完了の返信を行うことなく、前記送信信号に従って負荷制御を実行する制御手段とを備えるので、バス占有処理を実行せずに余分な信号（パケット）を送信しないため、レスポンスの良い通信が可能となる。また、送信信号の送信時に、複数台の送信機器の中での送信順序の優先順位を決める優先順位時間が使用されるので、信号の衝突が発生し難くなる。
【００９４】
請求項２記載の発明は、請求項１記載の通信システムにおいて、前記優先順位時間は、所定時間範囲内からランダムに選択された時間を含むので、例えば同種の送信機器同士で信号が衝突する確率を低くすることができる。
【００９５】
請求項３記載の発明は、請求項１記載の通信システムにおいて、前記優先順位時間は、前記送信機器の種類または前記送信機器の送信信号の内容に応じて与えられる定数で決まる時間を含むので、異なる種類の送信機器同士で信号が衝突する確率を低くすることができる。
【００９６】
請求項４記載の発明は、請求項１記載の通信システムにおいて、前記優先順位時間は、前記送信機器の種類に応じて与えられる定数で決まる時間と、所定時間範囲内からランダムに選択された時間とを含むので、複数種類の送信機器を各種類毎に複数台備える構成でも、各送信機器同士で信号が衝突する確率を低くすることができる。
【００９７】
請求項５記載の発明は、請求項４記載の通信システムにおいて、前記複数台の送信機器として、複数種類の送信機器を各種類毎に複数台備え、前記送信機器の種類に応じて与えられる定数は、当該定数を使用する送信機器よりも１つ優先順位の高い送信機器が存在する場合には、当該定数で決まる時間が、前記１つ優先順位の高い送信機器で使用される定数で決まる時間および所定時間の合計時間よりも長くなるように、設定されるので、複数種類の送信機器を各種類毎に複数台備える構成でも、各送信機器同士で信号が衝突する確率を低くすることができるほか、各種類の送信機器が同時に送信処理を開始した場合、より高い優先順位の送信機器から送信を開始させ、その送信完了後にそれよりも１つ優先順位の低い送信機器に送信を開始させることができる。
【００９８】
請求項６記載の発明は、請求項２、４または５記載の通信システムにおいて、前記所定時間は、前記複数台の送信機器の種類別台数に応じて設定されるので、所定時間を必要以上に長くならないように設定することができ、レスポンスの良い通信が可能となる。
【００９９】
請求項７記載の発明は、請求項３、４または５記載の通信システムにおいて、前記定数は、前記複数台の送信機器の種類数に応じて設定されるので、定数で決まる時間を必要以上に長くならないように設定することができ、レスポンスの良い通信が可能となる。例えば、複数台の送信機器内に優先順位の高い送信機器が存在しない場合、その分だけ定数で決まる時間を短縮することができる。
【０１００】
請求項８記載の発明は、請求項４または５記載の通信システムにおいて、前記所定時間は、前記複数台の送信機器の種類別台数に応じて設定されるとともに、前記定数は、前記複数台の送信機器の種類数に応じて設定されるので、所定時間および定数で決まる時間を必要以上に長くならないように設定することができ、レスポンスの良い通信が可能となる。
【図面の簡単な説明】
【図１】本発明に係る第１実施形態の通信システムにおける送信機器および受信機器の構成図である。
【図２】同通信システムの構成図である。
【図３】同通信システムで使用されるパケット構成図である。
【図４】同通信システムの動作フロー図である。
【図５】本発明に係る第２実施形態の通信システムの構成図である。
【図６】同通信システムの送信機器の構成図である。
【図７】同通信システムの受信機器の構成図である。
【図８】本発明に係る第３実施形態の通信システムの構成図である。
【図９】同通信システムの送信機器の構成図である。
【図１０】同通信システムの送信機器の構成図である。
【図１１】本発明に係る第４実施形態の通信システムの構成図である。
【図１２】本発明に係る第５実施形態の通信システムの送信時の動作説明図である。
【図１３】本発明に係る第６実施形態の通信システムの構成図である。
【図１４】本発明に係る第７実施形態の通信システムの説明図である。
【図１５】本発明に係る第８実施形態の通信システムの説明図である。
【符号の説明】
１０　送信機器
１００　制御部
１０１　記憶部
１０２　通信部
１０３　入力部
１１，１１Ａ，１１Ｂ，１１Ｃ，１１Ｄ　送信機器
１１０　マイコン
１１１　メモリ
１１２　通信部
１１３　人検知入力部
１２，１２Ａ，１２Ｂ，１２Ｃ　送信機器
１２０　マイコン
１２１　メモリ
１２２　通信部
１２３　ＳＷ入力部
１３，１３Ａ，１３Ｂ，１３Ｃ　送信機器
１３０　マイコン
１３１　メモリ
１３２　通信部
１３３　明るさセンサ部
２０　受信機器
２００　制御部
２０１　記憶部
２０２　通信部
２０３　出力
２１　受信機器
２１０　マイコン
２１１　メモリ
２１２　通信部
２１３　電子安定器
２１４　蛍光灯
【図１】
2004112062.tif 000003
【図２】
2004112062.tif 000004
【図３】
2004112062.tif 000005
【図４】
2004112062.tif 000006
【図５】
2004112062.tif 000007
【図６】
2004112062.tif 000008
【図７】
2004112062.tif 000009
【図８】
2004112062.tif 000010
【図９】
2004112062.tif 000011
【図１０】
2004112062.tif 000012
【図１１】
2004112062.tif 000013
【図１２】
2004112062.tif 000014
【図１３】
2004112062.tif 000015
【図１４】
2004112062.tif 000016
【図１５】
2004112062.tif 000017